(57)【要約】      （修正有）【課題】伸縮性を有する紐状の部材と其れに接続する足掛け部材を使用した筋肉トレーニング器の両部材の接続箇所に於いて、紐状の部材が捩れることが無い筋肉トレーニング器を提供する。【解決手段】上面に足を乗せる足置き部１０を有する足置き部材１の所定の箇所に、伸縮性と柔軟性を有し、且つ所定の長さを有する、紐状又は帯状又は管状又は其の他の形状の引き張り部材２の一方を取り付ける。そして該引き張り部材２の他方には足を掛ける手段を有する足掛け部材３が接続されている。少なくとも以上の部材で形成された筋肉トレーニング器の引き張り部材２と足掛け部材３との接続箇所に於いて、引き張り部材２を軸にして足掛け部材３が回転。【選択図】図１
2011194203.tif 000002
【特許請求の範囲】
【請求項１】
上面に足を乗せる足置き部を有する足置き部材の所定の箇所に、伸縮性と柔軟性を有し、且つ所定の長さを有する、紐状又は帯状又は管状又は其の他の形状の引き張り部材の一方を取り付ける。そして該引き張り部材の他方には足を掛ける手段を有する足掛け部材が接続されている。少なくとも以上の部材で構成された筋肉トレーニング器の引き張り部材と足掛け部材の接続箇所に於いて、引き張り部材を軸にして足掛け部材が回転できることを特徴とする筋肉トレーニング器。
【請求項２】
接続箇所をスラスト玉軸受で形成したことを特徴とする請求項１に記載の筋肉トレーニング器。
【発明の詳細な説明】
【技術分野】
【０００１】  本発明は足腰の筋肉を鍛える為の筋肉トレーニング器に関する。
【背景技術】
【０００２】  従来、本発明で示す筋肉トレーニング器は本発明者が出願した特願２００６−３５７２９７で公知である。該出願に於いて、足を乗せる部材に伸縮性を有する紐状の部材の片側を取り付け、更に紐状の部材の他片側に足を掛ける環状の部材が接続部材を介して接続されている形態が示されており、この方法は公知となっている。但し、この方法に於いて紐状の部材を足を置く部材に固定した場合、足を掛ける環状の部材を足先で回転させると、其の回転に応じて紐状の部材が捩れてしまい、紐状の部材が其の捩れにより伸縮中に破断する恐れが有り、又、捩れの戻りによる使い勝手の悪さが生じていた。
【発明が解決しようとする課題】
【０００３】  本発明は伸縮性を有する紐状の部材と其れに接続する足掛け部材を使用した筋肉トレーニング器の両部材の接続箇所に於いて、紐状の部材が捩れることが無い筋肉トレーニング器を提供することを課題とする。
【課題を解決する為の手段】
【０００４】  上記課題を解決する為に、本発明は次の如き筋肉トレーニング器を提供する。
１、上面に足を乗せる足置き部を有する足置き部材の所定の箇所に、伸縮性と柔軟性を有し、且つ所定の長さを有する、紐状又は帯状又は管状又は其の他の形状の引き張り部材の一方を取り付ける。そして該引き張り部材の他方には足を掛ける手段を有する足掛け部材が接続されている。少なくとも以上の部材で構成された筋肉トレーニング器の引き張り部材と足掛け部材の接続箇所に於いて、引き張り部材を軸にして足掛け部材が回転できることを特徴とする筋肉トレーニング器。
２、接続箇所をスラスト玉軸受で形成したことを特徴とする上記第１項に記載の筋肉トレーニング器。
【発明実施の形態】
【０００５】  以下、図面を参照しながら本発明の態様に係る筋肉トレーニング器に関して説明する。以下の説明は、本発明の技術思想を具現化する幾つかの具体例を説明するものであり、本発明は以下の説明に限定されるものでは無い。
【０００６】  図１は本発明の一態様に係る筋肉トレーニング器の全体の形態を示す斜視図（ａ）と其の一部分の構造を示す正面図（ｂ）である。図１（ａ）に示す筋肉トレーニング器は上面に足を乗せる足置き部１０を有する足置き部材１と足置き部材１の所定の箇所に伸縮性と柔軟性を有する紐状の引き張り部材２の片側が接続されている。図１では足置き部材１の上面端部に取り付けられている。そして、引き張り部材２の足置き部材１から所定の距離を有した箇所に足を掛け、引き張る為の環状の足掛け部３が接続されている。これを使用するには片足を足置き部材１の上面の足置き部１０に乗せて、他方の足先を足掛け部材３に掛けて任意の方向に引き張る。この様にすると引き張り部材２の伸縮性により引き張る力が生じ、其の力により足腰の筋肉が鍛えられると云うものである。左右の足を換えることにより両足及び腰を鍛えることができる。次に各部材に就いて説明すれば足置き部材１は足を乗せる台座であり、上面に足を乗せられる広さを有する足置き部１０が形成されている。形状及び寸法及び材質は任意であるが、実施上、縦横は２０ｃｍ以上、高さは１０ｃｍ以下が好ましい。又、材質はプラスチックなどが好ましい。引き張り部材２は紐状又は帯状又は管状又は其の他の形状の伸縮性と柔軟性を有し、且つ所定の長さを有した部材で形成される。実施上、太さは１ｃｍ以下程度、長さは３０ｃｍ以上が好ましく、紐状又は帯状又は管状の伸び率が２以上のゴム材で形成すると良い。足掛け部材３は足先を掛けられる手段を有していることが必要であるが、実施上は図１で示すような所定の幅を有する帯状且つ環状の形状の部材で形成すると良い。寸法は任意であるが、実施上、図１での形状に於いては環の差し渡しが１５ｃｍ程度で幅は６ｃｍ以下程度が良い。図１（ｂ）は引き張り部材２と足掛け部材３との接続箇所の構造を拡大して示す正面図である。図（ｂ）に示す接続箇所は足掛け部材３の端部に板状部材９を取り付け、其処に引き張り部材２の径よりも大きな孔４を開け、其の中に引き張り部材２を貫通させ、引き張り部材２の先に固定部材５を取り付けて、引き張り部材２が孔４から抜けない様にした図である。この構造により足掛け部材３が引き張り部材２を軸にして回転できることとなるのである。この様にすることで、引き張部材２を足掛け部材１に固定して取り付けた場合、使用中に足掛け部材３を回転させた際、それに伴い生じる引き張り部材２の捩れを防ぐことができるのである。捩れを防ぐことで、引き張る際の捩れによる引き張り部材２の破断等を防ぐことができる。実施上、引き張り部材２及び固定部９と孔４の接触部は摩擦を小さくすることが必要である為、孔４及び固定部９は摩擦係数の小さな部材、例えばフッ素樹脂又は其の他の部材で形成すると良い。又、孔４の部分にボールベアリングなどを取り付けても良い。
【０００７】  図２は本発明に係る筋肉トレーニング器の別の態様の一部分を示す平面図（ａ）と正面図（ｂ）と（ｃ）である。図２は引き張り部材２と足掛け部材３の接続箇所をスラスト玉軸受で形成した構造を示す図である。図２ではスラスト玉軸受は内輪６及び玉７及び外輪８とで構成された部材で示されている。但し、図２に於いては玉軸受けの玉７の保持器及び内輪６及び外輪８の内側の玉７の転がる溝は省略されている。図２（ｂ）に於いて示す様に、引き張り部材２は内輪６に形成された孔４を通し、其の先に固定部材５を取り付け、内輪から外れないようにしてある。足掛け部材３は外輪８に取り付けられている。そして双方が引き合う方向に於いて内輪６と外輪８が玉７を挟む構造となっており、図１と同様に引き張り部材２を軸にして足掛け部材３が回転できる構造となっている。又、図２（ｃ）は内輪６の孔４の上部に筒状の部材１１を形成した図である。この様にすると、引き張り部材２をゴム材で形成し、其の端部に結び目１２を作った場合、其の結び目１２により、引き張り部材２の端部が横方向に飛び出して、足掛け部材３に接触することを防ぐことができる。この方法により足掛け部材のスムーズな回転を実現することができる。
【０００８】  上記に於いて、本発明に係る筋肉トレーニング器の各部分の好ましい形状及び寸法及び材質に就いて説明したが、上記説明に限定されること無く、形状、寸法、材質は適宜経験的に決定できる。
【発明の効果】
【０００９】  本発明に係る筋肉トレーニング器によれば、足掛け部材を回転させても引き張り部材に捩れを生じさせることが無く、捩れによる引き張り部材の破断や捩れの戻りによる使い勝手の悪さを防ぐことができる。
【図面の簡単な説明】
【００１０】
【図１】本発明の一態様に係る筋肉トレーニング器の全体の形態を示す斜視図（ａ）と一部分の構造を示す正面図（ｂ）である。
【図２】本発明の一態様に係る筋肉トレーニング器の構造を示す平面図（ａ）と正面図（ｂ）と一部分の構造を示す正面図（ｃ）である。
【符号の説明】
【００１１】１、    足置き部材
２、    引き張り部材
３、    足掛け部材
４、    孔
５、    固定部材
６、    内輪
７、    玉
８、    外輪
９、    板状部材
１０、  足置き部
１１、  筒状の部材
１２、  結び目
【図１】
2011194203.tif 000003
【図２】
2011194203.tif 000004